(57)【要約】      （修正有）【課題】露光ヘッドと感光体ドラムとの距離が一定になり、画像品位を向上し得る画像形成装置を提供する。【解決手段】カラープリンタは、表面に潜像を担持する感光体ドラム２７と、配列方向に沿う基板と光軸方向に沿う光軸を有する複数のレンズが配置されたロッドレンズアレイとを有するＬＥＤヘッド１６と、シャフト４４によってＬＥＤヘッドと連結されるアタッチメント３５と、アタッチメントを保持するＬＥＤヘッドホルダ３３と、アタッチメントをＬＥＤヘッドに向けて付勢するスプリング３４と、感光体ドラムとＬＥＤヘッドとの間における当接箇所Ｐｃに配され、感光体ドラムとＬＥＤヘッドとの間隔を規制する位置決め部材６２と、アタッチメントとＬＥＤヘッドとの間において、当接箇所Ｐｃを通り光軸方向と平行な仮想直線の近傍に配置され、アタッチメントとＬＥＤヘッドとを当接させる当接リブ３５ｒ１及び３５ｒ２とを設ける。【選択図】図１９
2020100108.tif 000002
【特許請求の範囲】
【請求項１】
表面に潜像を担持する像担持体と、
配列方向に沿う基板と光軸方向に沿う光軸を有する複数のレンズが配置されたレンズアレイとを有する露光ヘッドと、
連結部材によって前記露光ヘッドと連結されるアタッチメントと、
前記アタッチメントを保持するホルダと、
前記アタッチメントを前記露光ヘッドに向けて付勢する付勢部材と、
前記像担持体と前記露光ヘッドとの間における当接箇所に配され、前記像担持体と前記露光ヘッドとの間隔を規制する位置決め部材と、
前記アタッチメントと前記露光ヘッドとの間において、前記当接箇所を通り前記光軸方向と平行な仮想直線の近傍に配置され、前記アタッチメントと前記露光ヘッドとを当接させる突部と
を有する
ことを特徴とする画像形成装置。
【請求項２】
前記突部は、少なくとも一部が前記配列方向に関し前記当接箇所を挟むように配される
ことを特徴とする請求項１に記載の画像形成装置。
【請求項３】
前記配列方向に関し、前記当接箇所と、前記付勢部材が前記アタッチメントを付勢する付勢箇所とは、異なる位置に設けられている
ことを特徴とする請求項１に記載の画像形成装置。
【請求項４】
前記突部は、前記配列方向に関し前記当接箇所を挟むように前記光軸方向及び前記配列方向に対し直交する方向へ延びる
ことを特徴とする請求項２に記載の画像形成装置。
【請求項５】
前記突部は、横断面が四角形状である
ことを特徴とする請求項１に記載の画像形成装置。
【請求項６】
前記突部は、前記仮想直線を中心軸とするリング形状である
ことを特徴とする請求項２に記載の画像形成装置。
【請求項７】
前記突部は、前記配列方向に関し前記連結部材と前記付勢部材との間に少なくとも一部分が配される
ことを特徴とする請求項１に記載の画像形成装置。
【請求項８】
前記アタッチメントと前記露光ヘッドとは、前記突部以外の箇所では、互いに当接しない
ことを特徴とする請求項１に記載の画像形成装置。
【請求項９】
前記突部は、前記アタッチメントから前記露光ヘッドに向かって突出する
ことを特徴とする請求項１に記載の画像形成装置。
【請求項１０】
前記付勢部材は、前記ホルダと前記露光ヘッドとの間における、前記配列方向の両端部に設けられ、
前記突部は、前記アタッチメントと前記露光ヘッドとの間における、前記配列方向の両端部に設けられる
ことを特徴とする請求項１に記載の画像形成装置。
【請求項１１】
前記アタッチメントは、前記露光ヘッドのフレームよりも高い剛性を有する
ことを特徴とする請求項１に記載の画像形成装置。
【請求項１２】
前記ホルダは、前記アタッチメントを保持するための支持孔が前記配列方向の両端に形成され、
前記アタッチメントは、前記配列方向の両端に形成された支持突起が前記支持孔に嵌まり込むことにより、前記付勢部材の付勢方向へ移動可能に前記ホルダに保持される
ことを特徴とする請求項１に記載の画像形成装置。
【請求項１３】
前記アタッチメントは、前記連結部材を前記光軸方向に沿って貫通させる筒状部と、前記連結部材と係合する規制部とが形成された連結部材係合部を有し、
前記連結部材は、前記アタッチメント側に形成された第１係合部を前記連結部材係合部に係合させることにより、前記露光ヘッドが前記アタッチメントから離れる方向への移動を規制する
ことを特徴とする請求項１に記載の画像形成装置。
【請求項１４】
前記連結部材は、前記アタッチメントと前記露光ヘッドとが互いに近接する方向へ力を加えることなく、前記露光ヘッドが前記アタッチメントから離れる方向への移動を規制する
ことを特徴とする請求項１３に記載の画像形成装置。
【発明の詳細な説明】
【技術分野】
【０００１】
本発明は画像形成装置に関し、例えば電子写真式の画像形成装置に適用して好適なものである。
【背景技術】
【０００２】
従来、画像形成装置としては、発光素子であるＬＥＤ（Light Emitting Diode）から出射される露光用の光を発光する露光ヘッドから、感光体ドラムの表面に光を照射して感光体ドラムの表面に静電潜像を形成し、さらにその静電潜像にトナーを付着させてトナー画像を現像することにより、画像の印刷を行うものが広く普及している。
【０００３】
露光ヘッドは、例えば、複数のＬＥＤが直線状に配置されたＬＥＤアレイが実装された基板と、各ＬＥＤから出射される光をそれぞれ集光させる複数のレンズが整列されたレンズアレイと、基板及びレンズアレイを保持するホルダとを有するものがある。そして、基板に搭載されたＬＥＤアレイから放射された光がレンズアレイを通過し収束され、そのレンズアレイの結像位置に配設された感光体ドラムの表面に露光することにより、静電潜像が形成される（例えば、特許文献１参照）。
【０００４】
そのような画像形成装置においては、露光ヘッドの長手方向両端に形成された突起を、画像形成装置のカバーから垂下しているヘッドホルダの長手方向の両端に形成された支持孔に係合させることにより露光ヘッドを保持し、ヘッドホルダと露光ヘッドとの間に配されたスプリングにより、露光ヘッドを感光体ドラムに向けて付勢箇所において付勢すると共に、感光体ドラムに当接箇所において当接させて、感光体ドラムに対し露光ヘッドを位置決めするものがある。
【先行技術文献】
【特許文献】
【０００５】
【特許文献１】特開平８−３１８６６１号公報
【発明の概要】
【発明が解決しようとする課題】
【０００６】
しかしながら、付勢箇所と当接箇所とが露光ヘッドの長手方向に対し同じ位置にない場合、露光ヘッドにおいて力のモーメントが発生し、剛性が低い露光ヘッドでは湾曲してしまう可能性がある。露光ヘッドが湾曲してしまうと、露光ヘッドの長手方向の一端から他端までに亘って感光体ドラムとの距離が一定にならなくなり、画像品位が保てないおそれがあった。
【０００７】
本発明は以上の点を考慮してなされたもので、画像品位を向上し得る画像形成装置を提案しようとするものである。
【課題を解決するための手段】
【０００８】
かかる課題を解決するため本発明の画像形成装置においては、表面に潜像を担持する像担持体と、配列方向に沿う基板と光軸方向に沿う光軸を有する複数のレンズが配置されたレンズアレイとを有する露光ヘッドと、連結部材によって露光ヘッドと連結されるアタッチメントと、アタッチメントを保持するホルダと、アタッチメントを露光ヘッドに向けて付勢する付勢部材と、像担持体と露光ヘッドとの間における当接箇所に配され、像担持体と露光ヘッドとの間隔を規制する位置決め部材と、アタッチメントと露光ヘッドとの間において、当接箇所を通り光軸方向と平行な仮想直線の近傍に配置され、アタッチメントと露光ヘッドとを当接させる突部とを設けるようにした。
【０００９】
本発明は、露光ヘッドに対し像担持体側から加わる力とアタッチメント側から加わる力とを同一軸上に配置でき、露光ヘッドに力のモーメントが発生して湾曲してしまうことを防止し、露光ヘッドの変形を抑えることができる。
【発明の効果】
【００１０】
本発明によれば、露光ヘッドに対し像担持体側から加わる力とアタッチメント側から加わる力とを同一軸上に配置でき、露光ヘッドに力のモーメントが発生して湾曲してしまうことを防止し、露光ヘッドの変形を抑えることができ、かくして画像品位を向上し得る画像形成装置を実現できる。
【図面の簡単な説明】
【００１１】
【図１】カバーオープン状態におけるカラープリンタの構成を示す斜視図である。
【図２】カバークローズ状態におけるカラープリンタの構成を示す左側面図である。
【図３】画像形成ユニットの構成を示す左側面図である。
【図４】カバーオープン状態におけるＬＥＤヘッドユニットの構成を示す斜視図である。
【図５】カバークローズ状態におけるＬＥＤヘッドユニット及び感光体ドラムユニットの構成（１）を示す斜視図である。
【図６】カバークローズ状態におけるＬＥＤヘッドユニット及び感光体ドラムユニットの構成（２）を示し、図５におけるＹ−Ｙ矢視断面図である。
【図７】カバークローズ状態におけるＬＥＤヘッドユニット及び感光体ドラムユニットの構成（３）を示す図５における破線範囲の部分拡大図である。
【図８】シャフトの構成を示す斜視図である。
【図９】ＬＥＤヘッドフレームのシャフト係合部の構成を示し、（Ａ）はシャフト係合部の斜視拡大図、（Ｂ）は（Ａ）のＹ−Ｙ断面図、（Ｃ）は（Ａ）のＸ−Ｘ断面図である。
【図１０】アタッチメントの構成（１）を示し、（Ａ）は平面図、（Ｂ）は底面図、（Ｃ）は正面図である。
【図１１】アタッチメントの構成（２）を示す斜視図である。
【図１２】アタッチメントの構成（３）を示す斜視図である。
【図１３】アタッチメントのシャフト係合部の構成を示し、（Ａ）はシャフト係合部の斜視拡大図、（Ｂ）は（Ａ）のＸ−Ｘ断面図である。
【図１４】ＬＥＤヘッドユニットの組み立ての様子（１）を示す斜視図である。
【図１５】ＬＥＤヘッドユニットの組み立ての様子（２）を示し、（Ａ）はシャフト係合部近辺の斜視図、（Ｂ）は（Ａ）のＸ−Ｘ断面図、（Ｃ）は（Ａ）のＹ−Ｙ断面図である。
【図１６】ＬＥＤヘッドユニットの組み立ての様子（３）を示し、（Ａ）はシャフト係合部近辺の斜視図、（Ｂ）は（Ａ）のＸ−Ｘ断面図、（Ｃ）は（Ａ）のＹ−Ｙ断面図である。
【図１７】ＬＥＤヘッドユニットの組み立ての様子（４）を示す斜視図である。
【図１８】カバークローズ状態におけるＬＥＤヘッドユニット及び感光体ドラムユニットの構成（４）を示す図５におけるＸ−Ｘ矢視断面図である。
【図１９】カバークローズ状態におけるＬＥＤヘッドユニット及び感光体ドラムユニットの構成（５）を示す図１８における破線範囲の部分拡大図である。
【発明を実施するための形態】
【００１２】
以下、発明を実施するための形態（以下実施の形態とする）について、図面を用いて説明する。
【００１３】
［１．実施の形態］
［１−１．カラープリンタの構成］
図１及び図２に示すように、カラープリンタ１は、カラー用電子写真式プリンタであり、例えばＡ３サイズやＡ４サイズ等の大きさでなる用紙Ｐに対し、所望のカラー画像を印刷する。カラープリンタ１は、略箱型に形成された装置本体であるプリンタ筐体２の内部に種々の部品が配置されている。因みに以下では、図２における右端部分をカラープリンタ１の正面とし、この正面と対峙して見た場合の上下方向、左右方向及び前後方向をそれぞれ定義した上で説明する。カラープリンタ１は、制御部３により全体を統括制御する。この制御部３は、図示しない通信処理部を介して、パーソナルコンピュータのような上位装置（図示せず）と無線又は有線により接続されている。制御部３は、上位装置から印刷対象のカラー画像を表す画像データが与えられると共に該カラー画像の印刷が指示されると、用紙Ｐの表面に印刷画像を形成する印刷処理を実行する。
【００１４】
またカラープリンタ１は、プリンタ筐体２の上側にプリンタカバー９が設けられている。プリンタカバー９の下面側には、ＬＥＤヘッドユニット１４Ｃ、１４Ｍ、１４Ｙ及び１４Ｋ（以下では、これらをまとめてＬＥＤヘッドユニット１４とも呼ぶ）のＬＥＤヘッドホルダ３３Ｃ、３３Ｍ、３３Ｙ及び３３Ｋ（以下では、これらをまとめてＬＥＤヘッドホルダ３３とも呼ぶ）が、回転支点を中心として揺動自在に支持されるよう垂下している。ＬＥＤヘッドホルダ３３Ｃ、３３Ｍ、３３Ｙ及び３３Ｋは、互いにほぼ同様に構成されている。
【００１５】
プリンタカバー９は、後端に設けられた軸部材９Ａ及び９Ｂを介してプリンタ筐体２に対して連結されている。このためプリンタカバー９は、軸部材９Ａ及び９Ｂの回転軸を支点として、プリンタ筐体２の上方を覆うカバークローズ状態（図２）と、プリンタ筐体２の上方を開放するカバーオープン状態（図１）との間を回動可能となっている。このときプリンタカバー９は、軸部材９Ａ及び９Ｂの回転軸を中心にして円弧状の軌跡ｒａに沿って回動する。またプリンタカバー９の回動に伴って、プリンタカバー９に設けられた各ＬＥＤヘッドユニット１４も、軸部材９Ａ及び９Ｂの回転軸を中心にした円弧状の軌跡ｒｂに沿って回動する。
【００１６】
カラープリンタ１は、印刷動作が行われる場合には、軸部材９Ａ及び９Ｂを支点としてプリンタカバー９の前端が押し下げられプリンタ筐体２の内部が外部から閉鎖されることにより、内部を保護するカバークローズ状態（図２）となる。一方カラープリンタ１は、画像形成ユニット１５の交換や内部に詰まったジャム用紙がユーザにより取り除かれる等の保守作業が行われる場合には、軸部材９Ａ及び９Ｂを支点としてプリンタカバー９の前端が持ち上げられプリンタ筐体２の内部が外部に開放されることにより、内部の各部に対する作業を容易に行わせ得るカバーオープン状態となる。
【００１７】
図２に示すようにプリンタ筐体２内の最下部には、用紙Ｐを収容する用紙収容カセット４と、用紙収容カセット４に集積された状態で収容されている用紙Ｐを１枚ずつ分離して給紙する給紙部５と、該用紙Ｐの色を測色する用紙色測色部６とが設けられている。給紙部５は、用紙収容カセット４の前端上側に位置しており、用紙収容カセット４の前端上側に設けられ中心軸を左右方向に向けたホッピングローラ７や、該ホッピングローラ７の上方に設けられたレジストローラ８のような複数のローラに加え、用紙Ｐを案内するガイド等により構成されている。
【００１８】
この給紙部５は、制御部３の制御によりホッピングローラ７及びレジストローラ８等を回転させ、用紙収容カセット４に収容されている用紙Ｐを１枚ずつに分離して取り込むと共に、取り込んだ用紙Ｐを前上方へ進行させた後、プリンタ筐体２内の前端近傍における上下ほぼ中央となる位置において、後方へ折り返すように進行させる。また用紙色測色部６は、用紙Ｐの色を測色し、その結果を制御部３へ供給する。
【００１９】
プリンタ筐体２内における用紙収容カセット４の上方には、該プリンタ筐体２内を前後に大きく横切るようにして転写ベルトユニット１０が設けられている。転写ベルトユニット１０は、中心軸を左右方向に向けた細長い円筒状でなるローラ１１が前後に１個ずつ配置されると共に、前後のローラ１１を周回するように転写ベルト１２が張架されている。転写ベルト１２は、左右方向の幅が広く、且つ無端状のベルトとして形成されており、ローラ１１の回転に伴って走行する。転写ベルトユニット１０は、制御部３の制御に基づいてローラ１１を回転させることにより転写ベルト１２を走行させ、給紙部５から受け渡された用紙Ｐを該転写ベルト１２の上面に載せて後方向へ搬送する。
【００２０】
一方、転写ベルトユニット１０の上側、すなわちプリンタ筐体２における中央よりも上寄りには、４個の画像形成ユニット１５Ｃ、１５Ｍ、１５Ｙ及び１５Ｋ（以下では、これらをまとめて図３に示す画像形成ユニット１５とも呼ぶ）が後側から前側へ向かって順に配置されている。すなわち各色の画像形成ユニット１５は、いわゆるタンデム方式で配置されている。この画像形成ユニット１５Ｃ、１５Ｍ、１５Ｙ及び１５Ｋは、シアン（Ｃ）、マゼンタ（Ｍ）、イエロー（Ｙ）及びブラック（Ｋ）の各色にそれぞれ対応している。また画像形成ユニット１５Ｃ、１５Ｍ、１５Ｙ及び１５Ｋは、互いに同様に構成されており、対応するトナーの色のみがそれぞれ相違する。画像形成ユニット１５は、用紙Ｐの左右幅に対応するべく、左右方向に比較的長い略箱状に形成されている。また画像形成ユニット１５は、感光体ドラム２７が転写ローラ１３に対し当接する又は離隔するように、上下移動が可能となっている。
【００２１】
またプリンタ筐体２内には、各画像形成ユニット１５Ｃ、１５Ｍ、１５Ｙ及び１５Ｋにおけるそれぞれの感光体ドラム２７の上方において対向するように露光装置としてのＬＥＤヘッドユニット１４Ｃ、１４Ｍ、１４Ｙ及び１４Ｋ（以下では、これらをまとめてＬＥＤヘッドユニット１４とも呼ぶ）が設けられている。ＬＥＤヘッドユニット１４Ｃ、１４Ｍ、１４Ｙ及び１４Ｋは、互いにほぼ同様に構成されている。図３に示すようにＬＥＤヘッドユニット１４は、ＬＥＤヘッドホルダ３３、ＬＥＤヘッド１６、スプリング３４及びアタッチメント３５により構成されている。各ＬＥＤヘッドユニット１４は、各色の画像データに従って、感光体ドラム２７を露光し、静電潜像を形成する装置である。各画像形成ユニット１５は、プリンタ筐体２に装着された際、このＬＥＤヘッドユニット１４のＬＥＤヘッド１６と極めて近接するようになっており、該ＬＥＤヘッド１６からの光により露光処理が行われる。またＬＥＤヘッド１６は、左右方向に細長い直方体状に構成されると共に、その内部に複数のＬＥＤが左右方向に沿って並ぶように配置されており、制御部３から供給される画像データに応じた発光パターンで各ＬＥＤを発光させる。
【００２２】
また各画像形成ユニット１５Ｃ、１５Ｍ、１５Ｙ及び１５Ｋは、それぞれ上方にトナーカートリッジ１８Ｃ、１８Ｍ、１８Ｙ及び１８Ｋ（以下では、これらをまとめてトナーカートリッジ１８とも呼ぶ）が接続されている。トナーカートリッジ１８は、左右方向に長い中空の容器であり、粉末状でなる各色のトナーがそれぞれ収容されると共に、所定の撹拌機構が組み込まれている。転写ベルトユニット１０には、前後のローラ１１の間における各画像形成ユニット１５の真下となる４箇所に、それぞれ転写ローラ１３Ｃ、１３Ｍ、１３Ｙ及び１３Ｋ（以下では、これらをまとめて転写ローラ１３とも呼ぶ）が設けられている。すなわち各画像形成ユニット１５は、各転写ローラ１３との間に転写ベルト１２の上側部分を挟んでいる。転写ローラ１３は、帯電し得るように構成されている。
【００２３】
制御部３は、トナーカートリッジ１８からトナーを画像形成ユニット１５へ供給させる。これと共に制御部３は、上位装置（図示せず）から供給された画像データに応じた発光パターンを形成するようにＬＥＤヘッド１６を発光させる。これに応じて各画像形成ユニット１５は、トナーカートリッジ１８から供給されるトナーを用い、ＬＥＤヘッド１６の発光パターンに応じたトナー画像を形成し、このトナー画像を用紙Ｐにそれぞれ転写する（詳しくは後述する）。これにより、転写ベルトユニット１０によって搬送されている用紙Ｐ上には、画像データに応じた４色のトナー画像が順次転写されていく。
【００２４】
転写ベルトユニット１０の後方、すなわちプリンタ筐体２の後端近傍における上下の中央近傍には、定着ユニット２０が設けられている。定着ユニット２０は、加熱ローラ２１及び加圧ローラ２２により構成されている。加熱ローラ２１は、中心軸を左右方向に向けた円筒状に形成されており、内部にヒータが設けられている。加圧ローラ２２は、加熱ローラ２１と同様の円筒状に形成されており、上側の表面を加熱ローラ２１における下側の表面に所定の押圧力で押し付けている。この定着ユニット２０は、制御部３の制御に基づき、加熱ローラ２１を加熱すると共に該加熱ローラ２１及び加圧ローラ２２をそれぞれ所定方向へ回転させる。これにより定着ユニット２０は、転写ベルトユニット１０から受け渡された用紙Ｐ、すなわち４色のトナー画像が重ねられた用紙Ｐに対して熱及び圧力を加えてトナーを定着させ、さらに後上方へ受け渡す。
【００２５】
定着ユニット２０の後上方には、排紙部２４が配置されている。排紙部２４は、中心軸を左右方向に向けた複数のローラ（図示せず）や用紙を案内するガイド等の組み合わせにより構成されている。この排紙部２４は、制御部３の制御に従って各ローラを適宜回転させることにより、定着ユニット２０から受け渡される用紙Ｐを後上方へ搬送してから前方へ向けて折り返し、プリンタ筐体２の上面に形成された排出トレイ２Ｔへ排出する。
【００２６】
このようにカラープリンタ１は、印刷処理を実行する際、ＬＥＤヘッド１６を発光させることにより、各色の画像形成ユニット１５によってトナー画像をそれぞれ形成し、これを用紙Ｐに順次転写する。
【００２７】
［１−２．画像形成ユニットの構成］
次に、画像形成ユニット１５の構成について説明する。全ての画像形成ユニット１５Ｃ、１５Ｍ、１５Ｙ及び１５Ｋは互いにほぼ同様に構成されているため、その内の１色の画像形成ユニット１５について説明する。図３に示すように画像形成ユニット１５は、その外周における大部分をフレーム２５により閉塞すると共に、その内部に比較的大きな空間を形成している。
【００２８】
画像形成ユニット１５内の中央下寄りには、図５及び図６に示す感光体ドラムユニット２６が設けられている。感光体ドラムユニット２６は、感光体ドラム２７、回転支持部材（図示せず）及びドラムフレーム３２により構成されている。感光体ドラム２７は、感光体ドラム２７は、中心軸を左右方向に向けた円筒状に形成されており、回転軸線方向（左右方向）の両端部が回転支持部材（図示せず）により回転可能に支持されている。回転支持部材（図示せず）は、感光体ドラム２７に対し左右方向の両外側に配されており、感光体ドラム２７を回転可能に支持すると共に、ドラムフレーム３２により支持されている。ドラムフレーム３２は、樹脂により形成されており、感光体ドラム２７に対し左右方向の両外側に配され、回転支持部材を支持する。因みに感光体ドラム２７は、図示しないモータから駆動力が伝達されることにより、矢印Ｒ１方向（図３）へ回転する。図５、図６及び図１８に示すようにドラムフレーム３２における上端面、すなわちドラムフレーム３２におけるカバークローズ状態においてＬＥＤヘッドフレーム３７の位置決め孔３７ａ（後述する）と対向する箇所からは、位置決め突起３２ｔが上方へ向かって突出している。
【００２９】
フレーム２５（図３）における感光体ドラム２７の下面となる部分は、比較的広い範囲に亘って開放されている。このため画像形成ユニット１５は、プリンタ筐体２（図１及び図２）に装着された際に、転写ベルト１２又は該転写ベルト１２上に載せられた用紙Ｐに感光体ドラム２７の下面を接触させる。またフレーム２５における感光体ドラム２７の真上となる部分には、左右方向に細長い露光孔が穿設されている。
【００３０】
感光体ドラム２７の後上方には、該感光体ドラム２７よりも径が小さい円筒状でなる帯電ローラ２８が設けられている。帯電ローラ２８は、例えば半導電性の弾性材により構成されると共に、その周側面を感光体ドラム２７の周側面２７Ｓに当接させており、該周側面２７Ｓの当接箇所を一様に帯電させる。
【００３１】
感光体ドラム２７の前上方には、該感光体ドラム２７よりも径が小さい円筒状でなる現像ローラ２９が設けられている。現像ローラ２９は、例えばウレタンゴム材にカーボンのような導電性物質が添加されて電気抵抗が適宜調節された半導電性ウレタンゴムにより構成されており、帯電し得る。この現像ローラ２９は、後側においてその周側面を感光体ドラム２７の周側面２７Ｓに当接させると共に、前側において該現像ローラ２９よりも僅かに径が小さい円筒状でなる供給ローラ３０にその周側面を当接させている。供給ローラ３０は、例えば半導電性発泡シリコンスポンジにより構成されている。
【００３２】
現像ローラ２９の後上方には、薄板状の現像ブレード３１が設けられている。現像ブレード３１は、ステンレスやリン青銅等の金属、又はシリコンゴムのようなゴム材等により構成されている。この現像ブレード３１は、後上端がフレーム２５内に固定されており、その前下端と現像ローラ２９の周側面との間に僅かな隙間を形成している。
【００３３】
さらに、感光体ドラム２７の上方における左右両側には、スペーサ２７ｓ（図５、図６及び図１８）が設けられている。スペーサ２７ｓは、その大きさや感光体ドラム２７に対する取付位置等が最適化されており、その上面にＬＥＤヘッド１６のカム３７ｐの下面を当接させることにより、感光体ドラム２７の周側面と該ＬＥＤヘッド１６との間隔を所望の長さに合わせる（詳細は後述する）。全ての画像形成ユニット１５Ｃ、１５Ｍ、１５Ｙ及び１５Ｋにおける各感光体ドラム２７とＬＥＤヘッドユニット１４Ｃ、１４Ｍ、１４Ｙ及び１４Ｋとの位置関係は、何れも同様に構成されている。
【００３４】
［１−３．カラープリンタの動作］
かかる構成において画像形成ユニット１５は、用紙Ｐに画像を印刷する際、制御部３の制御に基づき、感光体ドラム２７を矢印Ｒ１方向へ回転させると共に、帯電ローラ２８、現像ローラ２９及び供給ローラ３０を矢印Ｒ２方向へ回転させ、さらに帯電ローラ２８及び現像ローラ２９を帯電させる。
【００３５】
感光体ドラム２７は、まず周側面２７Ｓの後上側部分が帯電ローラ２８により一様に帯電され、矢印Ｒ１方向への回転によりこの帯電した箇所を上端近傍に到達させてＬＥＤヘッド１６と対向させる。このとき感光体ドラム２７の周側面２７Ｓは、ＬＥＤヘッド１６から画像データに応じた発光パターンの光が照射されることにより露光され、該画像データに応じた静電潜像が形成される。
【００３６】
一方、矢印Ｒ２方向へ回転する現像ローラ２９は、トナーカートリッジ１８から供給されるトナーが供給ローラ３０によって周側面に付着し、次に現像ブレード３１により余分なトナーが削ぎ落とされるため、周側面に均一な薄膜状にトナーが付着される。
【００３７】
感光体ドラム２７は、さらに矢印Ｒ１方向へ回転することにより、現像ローラ２９と当接する前端近傍において、該現像ローラ２９の周側面に薄膜状に形成されているトナーを、静電潜像に応じた箇所のみ周側面２７Ｓに付着させる。これにより感光体ドラム２７の周側面２７Ｓには、画像データに応じたトナー画像が形成される。因みにこのとき周側面２７Ｓに形成されるトナー画像は、最終的に印刷すべき画像のうち、この画像形成ユニット１５が担当する１色（すなわちシアン、マゼンタ、イエロー又はブラックの何れか）の成分のみを表した画像となっている。
【００３８】
その後感光体ドラム２７は、さらに矢印Ｒ１方向へ回転することにより、トナー画像を下端近傍へ到達させる。このとき制御部３は、転写ベルトユニット１０（図１）により用紙Ｐを画像形成ユニット１５の下側に到達させると共に、転写ローラ１３をトナーと逆の特性に帯電させている。このため画像形成ユニット１５は、感光体ドラム２７のうちトナー画像が形成された部分と帯電された転写ローラ１３との間に用紙Ｐを挟持することになり、このトナー画像を用紙Ｐに転写する。因みにトナー画像を用紙Ｐに転写した後に感光体ドラム２７の周側面２７Ｓにトナーが残っていた場合、図示しないクリーニング装置によりこのトナーが除去される。
【００３９】
かくして画像形成ユニット１５は、ＬＥＤヘッド１６を感光体ドラム２７の近傍に対向させ、該ＬＥＤヘッド１６の露光作用によりトナー画像を該周側面２７Ｓ上に形成する。
【００４０】
［１−４．ＬＥＤヘッドユニットの構成］
上述したように、また図３に示すようにＬＥＤヘッドユニット１４は、ＬＥＤヘッドホルダ３３、ＬＥＤヘッド１６、スプリング３４及びアタッチメント３５により構成されている。以下では、図１６に示すように、アタッチメント３５がシャフト４４によりＬＥＤヘッド１６と連結された状態をアタッチメントヘッド取付状態とも呼び、図４、図６及び図１８に示すように、ＬＥＤヘッド１６に連結されたアタッチメント３５が、ＬＥＤヘッドホルダ３３との間にスプリング３４を挟んでＬＥＤヘッドホルダ３３に取り付けられた状態をアタッチメントホルダ取付状態とも呼ぶ。
【００４１】
［１−５．ＬＥＤヘッドの構成］
図６及び図７にＬＥＤヘッド１６の模式的な横断面図を示すように、ＬＥＤヘッド１６は、全体として左右方向に細長い直方体状に形成されており、ＬＥＤヘッドフレーム３７に基板３８及びロッドレンズアレイ３９等の各種部品が取り付けられた構成となっている。以下では、図７における下方向を照射方向とも呼び、上方向を反照射方向とも呼ぶ。また以下では左右方向を配列方向（長手方向、主走査方向）とも呼び、この左右方向と交差する前後方向を副走査方向とも呼び、上下方向を光軸方向とも呼ぶ。さらにＬＥＤアレイ４０（後述する）の配列方向である左右方向をＸ方向、ロッドレンズアレイ３９の光軸方向である上下方向をＺ方向、Ｘ方向及びＺ方向に直交する方向である前後方向をＹ方向とする。
【００４２】
ＬＥＤヘッドフレーム３７は、例えば液晶ポリマーの金型成型で作製されており、全体として、左右方向に沿って形成された中空の四角柱から反照射方向側の側面を取り除いたような形状となっており、その断面が英大文字の「Ｕ」のような形状となっている。またＬＥＤヘッドフレーム３７における照射方向側部分の中央付近には、左右方向に沿った細長い長孔でなり上下方向に貫通する取付孔３７Ｈが形成されている。また図７及び図９に示すようにＬＥＤヘッドフレーム３７は、前後左右方向に沿う平面であるアタッチメント対向面３７Ｓが上端部に形成されている。
【００４３】
取付孔３７Ｈには、ロッドレンズアレイ３９が挿入されて取り付けられている。これにより、ロッドレンズアレイ３９はＬＥＤヘッドフレーム３７に支持されている。ロッドレンズアレイ３９は、全体として左右方向に細長い直方体状に形成されており、左右方向に沿って光軸を上下方向に添わせた多数の微小なマイクロレンズを並べるように保持している。このマイクロレンズは、光軸が上下方向となるように配置され、後述するＬＥＤアレイ４０から放射される光を収束させるような光学特性を有している。ロッドレンズアレイ３９は、該ロッドレンズアレイ３９において光が入射される端面である上面と、ＬＥＤアレイ４０の表面である下面との入射距離が、ロッドレンズアレイ３９の特性上最適な値になるような位置となるように、ＬＥＤヘッドフレーム３７に固着されている。ＬＥＤアレイ４０から出射された光は、ロッドレンズアレイ３９により収束され、帯電した感光体ドラム２７（図３）上に露光することにより、静電潜像を形成する。
【００４４】
またＬＥＤヘッドフレーム３７には、ロッドレンズアレイ３９の上方に、長手方向を左右方向に沿わせて基板３８が取り付けられている。基板３８は、いわゆるガラスエポキシ基板でなり、左右方向に細長く上下方向に薄い板状に形成され、所定の配線パターンが形成された配線層が上下方向に複数積層された構成となっている。基板３８の下面である照射方向側には、前後方向のほぼ中央において、ロッドレンズアレイ３９と対向するようにＬＥＤアレイ４０が基板３８の長手方向に沿って実装されている。このＬＥＤアレイ４０は、下方へ向けて光を発光するＬＥＤ素子が左右方向である配列方向に沿って所定の微小間隔毎に並んでいる。また基板３８の上面である反照射方向側における右端部近傍にはコネクタ３８Ｃｎが実装されている。コネクタ３８Ｃｎ（図６）には、基板３８の各種電子部品とカラープリンタ１の制御部３等とを導通させるケーブル３８Ｃｂが接続される。
【００４５】
ＬＥＤヘッドフレーム３７と基板３８との間隙には、封止材としてのシリコン樹脂４１がこの隙間を埋めるように充填されている。これによりＬＥＤヘッド１６は、ＬＥＤヘッドフレーム３７と基板３８との間隙を封止し、ＬＥＤヘッドフレーム３７と基板３８の下面とにより囲まれた空間をほぼ密閉して、この空間への異物の侵入を防止している。またシリコン樹脂４１は、隙間の封止以外に、基板３８、ＬＥＤヘッドフレーム３７及び後述する絶縁シート４２を接着させる接着剤の役割も果たしている。
【００４６】
基板３８は、絶縁シート４２で反照射方向側の全面が覆われることにより、外部への露出が防止されている。絶縁シート４２は、例えばマイラー（登録商標）シート等、ポリエステル製の絶縁性を有する材料により構成されており、上下方向に薄く、前後方向の幅が基板３８よりも狭く、左右方向に長いフィルム状に形成されている。
【００４７】
ＬＥＤヘッドフレーム３７とロッドレンズアレイ３９との間隙には、封止材としてのシリコン樹脂４１がこの隙間を埋めるように充填されている。これによりＬＥＤヘッド１６は、ＬＥＤヘッドフレーム３７とロッドレンズアレイ３９との間隙を封止し、ＬＥＤヘッドフレーム３７と基板３８の下面とにより囲まれた空間をほぼ密閉して、この空間への光及び異物の侵入を防止している。
【００４８】
図５及び図１８に示すようにＬＥＤヘッドフレーム３７の下方における左右両側において感光体ドラム２７のスペーサ２７ｓと対向する箇所には、カム３７ｐが設けられている。カム３７ｐは、ＬＥＤヘッドフレーム３７と感光体ドラム２７との距離を調整する部材である。
【００４９】
また図１８及び図１９に示すようにＬＥＤヘッドフレーム３７の左右両端部における下端面、すなわちＬＥＤヘッドフレーム３７におけるカバークローズ状態においてドラムフレーム３２の位置決め突起３２ｔと対向する箇所には、該位置決め突起３２ｔが嵌合する位置決め孔３７ａが穿設されている。この位置決め孔３７ａは、カム３７ｐよりも左右外側に配されている。
【００５０】
［１−５−１．ＬＥＤヘッドフレームにおけるシャフト係合部の構成］
図９に示すように、ＬＥＤヘッドフレーム３７におけるＸ方向両端部のアタッチメント対向面３７Ｓ側には、内部に空間を有するシャフト係合部３７ｅが形成されている。なお図９においては＋Ｘ方向側のシャフト係合部３７ｅは図示せず−Ｘ方向側のシャフト係合部３７ｅのみ図示する。シャフト係合部３７ｅは、ＬＥＤヘッドフレーム３７のＸ方向の中心を軸として対して互いに対称な形状となっている。シャフト係合部３７ｅは、主に、シャフト係合部底部３７ｅｂ、引掛部収納Ｘ方向側壁３７ｅｗｘ、引掛部収納Ｙ方向側壁３７ｅｗｙ及び引掛部係合突起３７ｅｐが形成されている。以下では、引掛部収納Ｘ方向側壁３７ｅｗｘ及び引掛部収納Ｙ方向側壁３７ｅｗｙをまとめて引掛部収納側壁３７ｗとも呼ぶ。
【００５１】
シャフト係合部底部３７ｅｂは、ＸＹ方向に沿う平面形状である＋Ｚ方向側面を有し、シャフト係合部３７ｅの−Ｚ方向側端部に形成されている。引掛部収納Ｘ方向側壁３７ｅｗｘは、シャフト係合部底部３７ｅｂをＸ方向から囲むように引掛部係合突起３７ｅｐよりも−Ｚ方向側から−Ｚ方向に沿って延びる壁面を有する壁部である。引掛部収納Ｙ方向側壁３７ｅｗｙは、シャフト係合部底部３７ｅｂをＹ方向から囲むようにアタッチメント対向面３７Ｓから−Ｚ方向に沿って延びる壁面を有する壁部である。引掛部係合突起３７ｅｐは、アタッチメント対向面３７Ｓと引掛部収納Ｘ方向側壁３７ｅｗｘとの間に形成されており、ＹＺ方向に沿う平面を有し、引掛部収納Ｘ方向側壁３７ｅｗｘからシャフト係合部３７ｅの中心軸へ向けて突出する突起である。
【００５２】
シャフト係合部３７ｅは、このようなシャフト係合部底部３７ｅｂ、引掛部係合突起３７ｅｐ、引掛部収納Ｘ方向側壁３７ｅｗｘ及び引掛部収納Ｙ方向側壁３７ｅｗｙによって囲まれた空間により、シャフト４４（図８）のヘッド側引掛部４４Ｄを収納する引掛部収納空間３７ｅｓが形成されている。またシャフト係合部３７ｅは、引掛部係合突起３７ｅｐ及び引掛部収納Ｙ方向側壁３７ｅｗｙによって囲まれた空間により、シャフト４４（図８）がＬＥＤヘッドフレーム３７に取り付けられる際にシャフト４４（図８）のヘッド側引掛部４４Ｄをアタッチメント対向面３７Ｓ側から引掛部収納空間３７ｅｓへ通過させるヘッド側引掛部通過口３７ｅａが形成されている。
【００５３】
［１−６．シャフトの構成］
図８に示すようにシャフト４４は、Ｚ方向に延びる棒状部材であり、棒状部４４Ｓ、ヘッド側引掛部４４Ｄ及びアタッチメント側引掛部４４Ｕが形成されている。またシャフト４４は、シャフト軸４４ｘを中心軸とした対称構造となっている。棒状部４４Ｓは、横断面が英大文字の「Ｘ」のような形状であり、Ｚ方向、すなわちシャフト軸４４ｘに沿って延びる棒状部材である。
【００５４】
第２係合部としてのヘッド側引掛部４４Ｄは、棒状部４４Ｓの−Ｚ方向側端部に構成されており、ヘッド側引掛部円筒形状部４４Ｄｃ及びヘッド側引掛部突起４４Ｄｐが形成されている。ヘッド側引掛部円筒形状部４４Ｄｃは、略円柱形状であり、−Ｚ方向側端面に図示しないねじ穴が形成されている。ヘッド側引掛部突起４４Ｄｐは、ヘッド側引掛部円筒形状部４４ＤｃのＸ方向側又はＹ方向側の側面において、互いにヘッド側引掛部円筒形状部４４Ｄｃを挟んで対向するように配されており、ヘッド側引掛部円筒形状部４４Ｄｃと同等の厚さであり、ヘッド側引掛部円筒形状部４４Ｄｃの径方向の外側に向かって突出している。
【００５５】
第１係合部としてのアタッチメント側引掛部４４Ｕは、棒状部４４Ｓの＋Ｚ方向側端部に構成されており、アタッチメント側引掛部円筒形状部４４Ｕｃ及びアタッチメント側引掛部突起４４Ｕｐが形成されている。アタッチメント側引掛部円筒形状部４４Ｕｃは、略円柱形状であり、＋Ｚ方向側端面にねじ穴が形成されている。アタッチメント側引掛部突起４４Ｕｐは、アタッチメント側引掛部円筒形状部４４Ｕｃにおけるヘッド側引掛部突起４４ＤｐとＺ方向に対向する位置の側面において、互いにアタッチメント側引掛部円筒形状部４４Ｕｃを挟んで対向するように配されており、アタッチメント側引掛部円筒形状部４４Ｕｃと同等の厚さであり、アタッチメント側引掛部円筒形状部４４Ｕｃの径方向の外側に向かって突出している。
【００５６】
このようにシャフト４４は、長手方向のうち−Ｚ方向側端部にＬＥＤヘッド１６のＬＥＤヘッドフレーム３７におけるシャフト係合部３７ｅ（図９）と係合するヘッド側引掛部４４Ｄが形成されていると共に、長手方向のうち＋Ｚ方向側端部にアタッチメント３５のシャフト係合部３５ａ（図１３）と係合するアタッチメント側引掛部４４Ｕが形成されている。
【００５７】
［１−７．アタッチメントの構成］
図１０、図１１、図１２及び図１３に示すようにアタッチメント３５は、ポリカーボネートとＡＢＳとの混合樹脂の金型成型により作製され、スプリング３４の付勢力を受けても変形しない剛性となっており、ＬＥＤヘッド１６のＬＥＤヘッドフレーム３７（図９）の剛性よりも高い剛性となっている。またアタッチメント３５は、Ｘ方向に細長くＺ方向に薄い板状に形成された底板３５ｂを中心に形成されており、全体としてＸ方向に細長くＺ方向に薄い直方体状に形成されている。このアタッチメント３５は、ＬＥＤヘッド１６のＺ方向の高さの半分程度のＺ方向の高さを有している。
【００５８】
底板３５ｂは、ＸＹ方向に沿いＬＥＤヘッドフレーム３７（図９）のアタッチメント対向面３７Ｓと平行に対向する平面であるヘッド対向面３５Ｓ１が−Ｚ方向面側に形成されている。また底板３５ｂは、ＸＹ方向に沿いＬＥＤヘッドホルダ３３（図１９）の−Ｚ方向側端部と対向する平面であるホルダ対向面３５Ｓ２が＋Ｚ方向面側に形成されている。底板３５ｂのホルダ対向面３５Ｓ２におけるＸ方向両端部及びＹ方向両端部からは、該ホルダ対向面３５Ｓ２に直交する壁部３５ｗが＋Ｚ方向に向かって立設している。
【００５９】
このアタッチメント３５は、シャフト４４（図８）によりＬＥＤヘッド１６におけるＬＥＤヘッドフレーム３７（図９）の＋Ｚ方向面側においてＬＥＤヘッドフレーム３７と連結されている。
【００６０】
［１−７−１．アタッチメントにおけるシャフト係合部の構成］
図１３に示すように底板３５ｂにおけるＸ方向両端部のホルダ対向面３５Ｓ２側であり、アタッチメントホルダ取付状態（図４、図６及び図１８）においてＬＥＤヘッドフレーム３７のシャフト係合部３７ｅとＸ方向の位置が一致する箇所には、シャフト係合部３５ａが形成されている。なお図１３においては＋Ｘ方向側のシャフト係合部３５ａは図示せず−Ｘ方向側のシャフト係合部３５ａのみ図示する。図１０、図１１及び図１２に示すようにシャフト係合部３５ａは、アタッチメント３５のＸ方向の中心を軸として対して互いに対称な形状となっている。連結部材係合部としてのシャフト係合部３５ａは、主に、筒状部３５ａｔ、回転止め壁３５ａｗ及び回転止め突起３５ａｐが形成されている。
【００６１】
筒状部３５ａｔは、ホルダ対向面３５Ｓ２から＋Ｚ方向に向かって突出する略円筒形状の部材であり、シャフト４４のアタッチメント側引掛部４４Ｕ（図８）のＸＹ平面上の外形とほぼ同一形状の内周面が形成されている。この筒状部３５ａｔは、内周面によって囲まれた空間により、シャフト４４（図８）がアタッチメント３５に取り付けられる際にシャフト４４のアタッチメント側引掛部４４Ｕをヘッド対向面３５Ｓ１側から筒状部３５ａｔの＋Ｚ方向側端部よりも＋Ｚ方向側へ通過させるアタッチメント側引掛部通過口３５ａｔａが形成されている。
【００６２】
回転止め突起３５ａｐは、筒状部３５ａｔの＋Ｚ方向側の端面において筒状部３５ａｔの中心軸である筒状部軸３５ａｔｘを軸として、互いに１８０度位置がずれて２個で一対となるように配置されている。この回転止め突起３５ａｐは、筒状部３５ａｔの＋Ｚ方向側の端面から＋Ｚ方向へ突出するように形成されており、アタッチメントヘッド取付状態（図１６）においてシャフト４４（図８）がアタッチメント３５に対しシャフト軸４４ｘを中心として回転してしまうことを防止する。
【００６３】
回転止め壁３５ａｗは、筒状部３５ａｔの＋Ｚ方向側の端面において筒状部軸３５ａｔｘを軸として、互いに１８０度位置がずれると共に、回転止め突起３５ａｐに対し９０度位置がずれて２個で一対となるように配置されている。この回転止め壁３５ａｗは、筒状部３５ａｔの＋Ｚ方向側の端面から＋Ｚ方向へ突出するように形成されており、回転止め突起３５ａｐよりもＺ方向の高さが高くなっており、アタッチメントヘッド取付状態（図１６）においてシャフト４４（図８）がアタッチメント３５に対しシャフト軸４４ｘを中心として回転してしまうことを防止する。以下では回転止め壁３５ａｗと回転止め突起３５ａｐとをまとめて規制部としての外れ規制部３５ａｗｐとも呼ぶ。
【００６４】
シャフト４４のシャフト軸４４ｘ（図８）が筒状部軸３５ａｔｘに一致した状態で、シャフト４４が筒状部３５ａｔに挿入されアタッチメントヘッド取付状態（図１６）となる。アタッチメントヘッド取付状態においてはシャフト軸４４ｘと筒状部軸３５ａｔｘとの位置が一致している。
【００６５】
アタッチメントヘッド取付状態（図１６）においてアタッチメント３５は、シャフト４４のアタッチメント側引掛部４４Ｕ（図８）に外れ規制部３５ａｗｐが係合してシャフト４４の回転を防止することにより、シャフト４４がアタッチメント３５から離れる−Ｚ方向へ移動すること、すなわちシャフト４４が係合しているＬＥＤヘッド１６がアタッチメント３５から離れる−Ｚ方向へ移動することを規制する。
【００６６】
底板３５ｂのホルダ対向面３５Ｓ２においてシャフト係合部３５ａよりもＸ方向の外側における、底板３５ｂの短手方向（Ｙ方向）のほぼ中央部には、スプリング３４（図１７）が嵌め込まれる英大文字の「Ｘ」のような形状のスプリング座３５ｓｓが形成されている。なお図１３においては＋Ｘ方向側のスプリング座３５ｓｓは図示せず−Ｘ方向側のスプリング座３５ｓｓのみ図示する。図１０及び図１１に示すようにスプリング座３５ｓｓは、アタッチメント３５のＸ方向の中心を軸として対して互いに対称な形状となっている。またアタッチメント３５の壁部３５ｗにおいてスプリング座３５ｓｓの−Ｙ方向側には、スプリング座３５ｓｓにスプリング３４が嵌め込まれた際に壁部３５ｗとスプリング３４とが干渉しないようにスプリング３４の湾曲形状に合わせて壁面が凹んでいる。アタッチメントホルダ取付状態（図１６）においてアタッチメント３５は、スプリング３４の−Ｚ方向側端部がスプリング座３５ｓｓに当接した状態となる。
【００６７】
また底板３５ｂにおけるＸ方向の両端面からは、図１３、図１７及び図１８に示すように、略直方体形状の支持突起３５ｔがＸ方向の外側に向かって突出している。アタッチメント３５は、アタッチメントホルダ取付状態（図４及び図１９）において、ＬＥＤヘッドホルダ３３のホルダ支持部３３ｓの支持孔３３ｓａに支持突起３５ｔが嵌め込まれることにより、該アタッチメント３５と、該アタッチメント３５と固定されたＬＥＤヘッド１６とが、ＬＥＤヘッドホルダ３３に支持される。
【００６８】
［１−７−２．当接リブの構成］
アタッチメント３５のヘッド対向面３５Ｓ１においてシャフト係合部３５ａに対するＸ方向の両側からは、互いに筒状部軸３５ａｔｘに対しＸ方向に同等の間隔を空けて、当接リブ３５ｒ１及び３５ｒ２が−Ｚ方向へ向かって突出している。このように当接リブ３５ｒ１及び３５ｒ２は、筒状部軸３５ａｔｘの近傍において、シャフト係合部３５ａを挟むように配置されている。またアタッチメントヘッド取付状態（図１６）においては、筒状部軸３５ａｔｘとシャフト軸４４ｘとは同一線上に位置し、筒状部軸３５ａｔｘ及びシャフト軸４４ｘ上を通る直線は、当接箇所Ｐｃ（後述する）を通り光軸方向と平行な仮想直線となる。このため当接リブ３５ｒ１及び３５ｒ２は、アタッチメント３５とＬＥＤヘッド１６との間において、当接箇所Ｐｃを通り光軸方向と平行な仮想直線の近傍に配置されることとなる。また当接リブ３５ｒ２は、Ｘ方向に関しスプリング座３５ｓｓと筒状部３５ａｔとの間に配置されている。このため当接リブ３５ｒ２は、アタッチメントホルダ取付状態（図４、図６及び図１８）において、Ｘ方向に関しスプリング３４とシャフト４４との間に配置されることとなる。
【００６９】
当接リブ３５ｒ１及び３５ｒ２は、互いに同一形状であり、Ｙ方向に細長くＺ方向に薄い直方体形状に形成されており、ＸＹ方向に沿いＬＥＤヘッドフレーム３７のアタッチメント対向面３７Ｓと平行に対向しアタッチメントヘッド取付状態（図１６）において当接する平面であるリブホルダ当接面３５ｒ１Ｓ及び３５ｒ２Ｓが−Ｚ方向面側に形成されている。また当接リブ３５ｒ１及び３５ｒ２は、底板３５ｂのＹ方向の一端から他端までに亘ってＹ方向に沿って連続的に形成されている。以下では当接リブ３５ｒ１及び３５ｒ２をまとめて突部としての当接リブ３５ｒとも呼び、リブホルダ当接面３５ｒ１Ｓ及び３５ｒ２Ｓをまとめてリブホルダ当接面３５ｒＳとも呼ぶ。
【００７０】
［１−８．ＬＥＤヘッドとアタッチメントとの係合］
係る構成において図１６に示すように、ＬＥＤヘッド１６とアタッチメント３５とは、ＬＥＤヘッド１６のＬＥＤヘッドフレーム３７におけるシャフト係合部３７ｅと、アタッチメント３５のシャフト係合部３５ａとにシャフト４４が係合することにより、互いに連結されアタッチメントヘッド取付状態となる。ここで、ＬＥＤヘッド１６とアタッチメント３５とは、互いにＺ方向に近接するような力はシャフト４４により加えられておらず、あくまでＬＥＤヘッド１６がアタッチメント３５から外れない程度に連結されている。このためアタッチメント３５は、ＬＥＤヘッド１６に対し、ある程度のがたつきが許容されている。すなわちアタッチメント３５は、ＬＥＤヘッド１６に遊嵌されているとも言える。
【００７１】
アタッチメントホルダ取付状態（図４、図６及び図１８）において、圧縮ばねであるスプリング３４（図１７）は、−Ｚ方向側端部がアタッチメント３５のスプリング座３５ｓｓに当接すると共に、＋Ｚ方向側端部がＬＥＤヘッドホルダ３３のポスト３３ｍｐに当接することにより、アタッチメント３５とＬＥＤヘッドホルダ３３との間に通常状態よりも圧縮された状態で配置されている。
【００７２】
このためアタッチメントホルダ取付状態（図４、図６及び図１８）においてアタッチメント３５は、ＬＥＤヘッドホルダ３３とアタッチメント３５との間に配設されたスプリング３４により、−Ｚ方向、すなわち感光体ドラム２７へ向かう方向に付勢される。これによりアタッチメント３５と連結しているＬＥＤヘッド１６も、スプリング３４の付勢力により、−Ｚ方向、すなわち感光体ドラム２７へ向かう方向に付勢される。以下では、アタッチメント３５がスプリング３４により感光体ドラム２７へ向かう方向に付勢される箇所を、図１９に示すアタッチメント付勢箇所Ｐｐ１とも呼ぶ。ＬＥＤヘッド１６は、後述する当接箇所Ｐｃにおいてカム３７ｐが感光体ドラム２７のスペーサ２７ｓと当接することにより、感光体ドラム２７の周側面２７Ｓに対し離接する方向であるＺ方向の位置が位置決めされる。これによりＬＥＤヘッド１６と感光体ドラム２７との間の相対位置が一定に保たれる。
【００７３】
［１−９．ＬＥＤヘッドホルダの構成］
図１７に示すようにＬＥＤヘッドホルダ３３は、ポリカーボネートとＡＢＳとの混合樹脂の金型成型により作製されており、ホルダ本体部３３ｍ、ホルダ垂下部３３ｈ及びホルダ支持部３３ｓが形成されている。
【００７４】
ホルダ本体部３３ｍは、Ｘ方向に細長くＹ方向に薄い板状に構成されると共に、Ｘ方向両端部において、スプリング３４が嵌め込まれるポスト３３ｍｐが形成されている。
【００７５】
ホルダ垂下部３３ｈは、ホルダ本体部３３ｍのＸ方向両端部から＋Ｚ方向へ延びて＋Ｙ方向へ湾曲する部材であり、＋Ｙ方向側端部においてプリンタカバー９（図１）における支持孔部に回動可能に支持される垂下部軸３３ｈａが形成されている。
【００７６】
ホルダ支持部３３ｓは、ホルダ本体部３３ｍの＋Ｘ方向両端部から−Ｚ方向へ突出する部材であり、アタッチメント３５の支持突起３５ｔよりもＺ方向に長い直方体形状である支持孔３３ｓａがＹ方向に沿って穿設されている。ホルダ支持部３３ｓは、アタッチメントヘッド取付状態（図１６）において、アタッチメント３５の支持突起３５ｔが支持孔３３ｓａに嵌め込まれることにより、アタッチメント３５と、該アタッチメント３５と固定されたＬＥＤヘッド１６とを、スプリング３４の付勢方向へ移動可能に支持する。
【００７７】
係る構成においてＬＥＤヘッドホルダ３３は、ホルダ垂下部３３ｈの垂下部軸３３ｈａがプリンタカバー９（図１及び図２）の支持孔部に可動可能に支持されることによりプリンタカバー９に対し揺動自在に支持されて垂下すると共に、ホルダ支持部３３ｓの支持孔３３ｓａにアタッチメント３５の支持突起３５ｔを嵌め込むことによりアタッチメント３５及びＬＥＤヘッド１６を懸架する。
【００７８】
［１−１０．寸法関係について］
図１３に示すように、シャフト４４について、ヘッド側引掛部４４Ｄにおける一方のヘッド側引掛部突起４４Ｄｐの端部から他方のヘッド側引掛部突起４４Ｄｐの端部までの幅を、ヘッド側引掛部幅Ｌ１とし、ヘッド側引掛部４４ＤのＺ方向の厚さをヘッド側引掛部厚さＬ２とし、ヘッド側引掛部４４Ｄのヘッド側引掛部円筒形状部４４Ｄｃの直径をヘッド側引掛部直径Ｌ３とし、アタッチメント側引掛部４４ＵのＺ方向の厚さをアタッチメント側引掛部厚さＬ４とし、シャフト４４のＺ方向の長さをシャフト長さＬ５とする。
【００７９】
また図９に示すように、ＬＥＤヘッドフレーム３７について、対向する引掛部収納Ｙ方向側壁３７ｅｗｙのＹ方向の内寸をシャフト係合部Ｙ方向内寸Ｌ６とし、シャフト係合部３７ｅのシャフト係合部底部３７ｅｂから引掛部係合突起３７ｅｐの−Ｚ方向側端部までのＺ方向の距離を引掛部収納高さＬ７とし、引掛部係合突起３７ｅｐのＺ方向の厚さをシャフト係合部係合突起厚さＬ８とし、対向する引掛部係合突起３７ｅｐのＸ方向の内寸をシャフト係合部係合突起内寸Ｌ９とし、対向する引掛部収納Ｘ方向側壁３７ｅｗｘのＸ方向の内寸をシャフト係合部Ｘ方向内寸Ｌ１０とする。
【００８０】
また図１３に示すように、アタッチメント３５について、当接リブ３５ｒのＺ方向の高さを当接リブ高さＬ１１とし、シャフト係合部３５ａにおける筒状部３５ａｔのＺ方向の厚さ、すなわちヘッド対向面３５Ｓ１から筒状部３５ａｔの＋Ｚ方向側端部までの高さを筒状部厚さＬ１２とし、回転止め突起３５ａｐのＺ方向の高さを回転止め突起高さＬ１３とし、回転止め壁３５ａｗのＺ方向の高さを回転止め壁高さＬ１４とする。
【００８１】
これらの各寸法は、（条件１：Ｌ７＋Ｌ８＋Ｌ１１＋Ｌ１２＜Ｌ５−Ｌ４）、（条件２：Ｌ１＜Ｌ６）、（条件３：Ｌ３＜Ｌ１０）、（条件４：Ｌ１＜Ｌ９）及び（条件５：Ｌ１０＜Ｌ１）の関係を満たすように設定されている。
【００８２】
［１−１１．位置決め部材の構成］
図５、図６、図１８及び図１９に示すように、ＬＥＤヘッド１６におけるＬＥＤヘッドフレーム３７と感光体ドラムユニット２６における感光体ドラム２７との間における左右両端部よりも左右方向のやや内側には、カム３７ｐとスペーサ２７ｓとからなり感光体ドラム２７の周側面と該ＬＥＤヘッド１６との間隔を所望の長さに合わせる位置決め部材６２が設けられている。以下では、カム３７ｐとスペーサ２７ｓとが当接する箇所を当接箇所Ｐｃ（図１９）とも呼ぶ。
【００８３】
スペーサ２７ｓは、例えばポリアセタール樹脂等のエンジニアリングプラスチックで作製されており、全体として前後方向に細長い直方体状に形成されている。このスペーサ２７ｓは、感光体ドラム２７の周側面と同等の曲率を有する湾曲面であり感光体ドラム２７の周側面２７Ｓに接するドラム当接面が下面（−Ｚ方向側面）に形成されていると共に、前後左右方向に沿う平面でありスペーサ２７ｓと当接するスペーサ当接面が上面（＋Ｚ方向側面）に形成されている。スペーサ２７ｓは感光体ドラム２７の左右方向の中心を軸として互いに対称な形状となっている。
【００８４】
カム３７ｐは、例えばポリカーボネートにより作製されており、板状に形成されている。カム３７ｐは、ＬＥＤヘッド１６の左右方向の中心を軸として互いに対称な形状となっている。
【００８５】
図１９に示すようにＬＥＤヘッド１６は、当接箇所ＰｃにおいてＬＥＤヘッドフレーム３７のカム３７ｐを感光体ドラム２７のスペーサ２７ｓに押し付けるように当接させることにより、感光体ドラム２７に対するＬＥＤヘッド１６の上下方向の位置を位置決めする、すなわちロッドレンズアレイ３９（図６）から感光体ドラム２７までの光軸方向の距離を規定する。このカム３７ｐ及びスペーサ２７ｓ、すなわち当接箇所Ｐｃは、左右方向及び前後方向に関し、筒状部軸３５ａｔｘ上に、すなわち筒状部軸３５ａｔｘの真下に設けられている。このためカム３７ｐは、アタッチメントヘッド取付状態（図１６）且つアタッチメントホルダ取付状態（図４、図６及び図１８）においてＬＥＤヘッドフレーム３７がスプリング３４から付勢される箇所であるスプリング座３５ｓｓ（アタッチメント付勢箇所Ｐｐ１）から僅かに左右方向内側に位置がずれた箇所における下側に設けられている。このようにＬＥＤヘッド１６と感光体ドラム２７とは、スペーサ２７ｓ及びカム３７ｐとが当接する当接箇所Ｐｃにおいて互いに当接することにより、感光体ドラム２７に対するＬＥＤヘッド１６の位置が設定されている。
【００８６】
［１−１２．ＬＥＤヘッドユニットの組み立て方法］
次に、ＬＥＤヘッドユニット１４の組み立て工程について説明する。まず図１４に示すように、Ｚ方向に沿う状態のシャフト４４においてヘッド側引掛部円筒形状部４４ＤｃからＹ方向へヘッド側引掛部突起４４Ｄｐが突出する状態のヘッド側引掛部４４ＤがＬＥＤヘッドフレーム３７のシャフト係合部３７ｅに＋Ｚ方向側から挿入される。このとき、条件２及び条件３により、ＬＥＤヘッドフレーム３７のシャフト係合部３７ｅ内部にシャフト４４が挿入される。続いて、シャフト４４におけるアタッチメント側引掛部４４Ｕがアタッチメント３５のシャフト係合部３５ａに−Ｚ方向側から挿入される。このとき、図１５に示すように、条件１により、シャフト４４のアタッチメント側引掛部４４Ｕが、アタッチメント３５の筒状部３５ａｔの＋Ｚ方向側端面よりも＋Ｚ方向側へ抜き出る。
【００８７】
次に、図１５及び図１６に示すように、シャフト４４のアタッチメント側引掛部突起４４Ｕｐが＋Ｘ方向側の回転止め壁３５ａｗと回転止め突起３５ａｐとの間と、−Ｘ方向側の回転止め壁３５ａｗと回転止め突起３５ａｐとの間とに位置するように、シャフト４４が矢印ｒｘの向きに９０度回転される。このとき、条件４により、シャフト４４は、ＬＥＤヘッドフレーム３７内部で９０度回転することができる。シャフト４４は、アタッチメント側引掛部４４Ｕがアタッチメント３５の回転止め壁３５ａｗ及び回転止め突起３５ａｐと係合することにより、アタッチメント３５と係合する。またシャフト４４は、条件５の関係により、ヘッド側引掛部４４ＤがＬＥＤヘッドフレーム３７の引掛部係合突起３７ｅｐと係合することにより、アタッチメント３５と係合する。これにより、ＬＥＤヘッド１６がアタッチメント３５に保持され、アタッチメントヘッド取付状態となる。シャフト４４は、回転止め壁３５ａｗ及び回転止め突起３５ａｐによって矢印ｒｘ方向の回転が規制されるため、ＬＥＤヘッド１６がアタッチメント３５から自然に落下することが防止される。このようにアタッチメントヘッド取付状態においてアタッチメント３５とＬＥＤヘッドフレーム３７とは、互いにＺ方向に近接するような力が外部から加わることなく、ＬＥＤヘッドフレーム３７がアタッチメント３５から外れない程度に連結されている。またアタッチメントヘッド取付状態においてシャフト４４のヘッド側引掛部４４Ｄの−Ｚ方向側端面は、ＬＥＤヘッドフレーム３７には当接していない。
【００８８】
次に、図１７に示すように、スプリング３４がＬＥＤヘッドホルダ３３のポスト３３ｍｐに挿入された状態で、アタッチメント３５の支持突起３５ｔがＬＥＤヘッドホルダ３３の支持孔３３ｓａに挿入されることにより、アタッチメント３５がＬＥＤヘッドホルダ３３に懸架される。これにより、アタッチメント３５と連結しているＬＥＤヘッド１６が、ＬＥＤヘッドホルダ３３に保持される。このときスプリング３４のアタッチメント３５側（−Ｚ方向側）の端部がスプリング座３５ｓｓに合わされることにより、ＬＥＤヘッド１６がＬＥＤヘッドホルダ３３から離隔する方向である−Ｚ方向に向かって付勢される。
【００８９】
このように組み立てられたＬＥＤヘッドユニット１４は、ＬＥＤヘッドホルダ３３の垂下部軸３３ｈａがプリンタカバー９（図２及び図３）の支持孔部に可動可能に取り付けられることにより、プリンタカバー９に対し揺動自在に支持されて垂下する。
【００９０】
次に、カバーオープン状態からカバークローズ状態へ移行すると、ＬＥＤヘッドユニット１４は下方へ移動し、図１８及び図１９に示すように、ＬＥＤヘッドフレーム３７の位置決め孔３７ａにドラムフレーム３２の位置決め突起３２ｔが嵌まり込む。これによりＬＥＤヘッド１６は、感光体ドラム２７に対して前後左右方向の位置が位置決めされる。またこのときＬＥＤヘッドユニット１４は、感光体ドラム２７の表面に搭載されているスペーサ２７ｓにＬＥＤヘッドフレーム３７のカム３７ｐを当接させる。これによりＬＥＤヘッド１６は、感光体ドラム２７に対して上下方向の位置が位置決めされる。このときＬＥＤヘッド１６には、アタッチメント３５の当接リブ３５ｒにおいて感光体ドラム２７へ向かう付勢力が加えられているため、ロッドレンズアレイ３９から感光体ドラム２７までの光軸方向の距離が一定に保たれる。
【００９１】
［１−１３．力の関係について］
ここでカバークローズ状態においては、図１９に示すように、アタッチメント付勢箇所Ｐｐ１においてスプリング３４から加わった下向きの付勢力が、アタッチメント３５の当接リブ３５ｒ１において下向き付勢力Ｆ１ａとしてＬＥＤヘッド１６に加わると共に、当接リブ３５ｒ２において下向き付勢力Ｆ１ｂとしてＬＥＤヘッド１６に加わることとなる。この下向き付勢力Ｆ１ａと下向き付勢力Ｆ１ｂとは、筒状部軸３５ａｔｘに対し左右方向へ互いに同等の間隔を空けた当接リブ３５ｒ１及び３５ｒ２から、互いに同等の大きさの力でＬＥＤヘッド１６を感光体ドラム２７に向けて下方向側へ付勢する力である。この下向き付勢力Ｆ１ａと下向き付勢力Ｆ１ｂとを合成した下向き合成付勢力Ｆ１は、筒状部軸３５ａｔｘ上における上下方向に関し当接リブ３５ｒ１と当接リブ３５ｒ２との間に位置するヘッド付勢箇所Ｐｐ２から、ＬＥＤヘッド１６を感光体ドラム２７に向けて下方向へ付勢する力となる。これにより当接箇所Ｐｃには、下向き合成付勢力Ｆ１が発生することとなり、感光体ドラム２７は、ＬＥＤヘッド１６から下向きに下向き合成付勢力Ｆ１を受けることとなる。このようにＬＥＤヘッド１６は、実質的にはヘッド付勢箇所Ｐｐ２から発生した下向きの力を受けるとも言える。
【００９２】
一方、当接箇所Ｐｃには、下向き合成付勢力Ｆ１に対する抗力として、下向き合成付勢力Ｆ１と同等の大きさで逆向きである上向き抗力Ｆ２が、感光体ドラム２７からＬＥＤヘッド１６へ上向きに発生することとなる。
【００９３】
［１−１４．動作及び効果等］
ここで仮に、スプリング３４を当接箇所Ｐｃの真上に配置できる場合、すなわち当接箇所Ｐｃとアタッチメント付勢箇所Ｐｐ１とを同一軸上に設定できる場合、当接リブ３５ｒを設けなかったとしても、下向き合成付勢力Ｆ１と上向き抗力Ｆ２とは、同一軸上に配置されるため、ＬＥＤヘッド１６には力のモーメントは発生せず、ＬＥＤヘッド１６は湾曲しない。
【００９４】
これに対し本実施の形態のＬＥＤヘッドユニット１４においては、機構的な制約により、スプリング３４を当接箇所Ｐｃの真上に配置することができない、すなわち当接箇所Ｐｃとアタッチメント付勢箇所Ｐｐ１とを同一軸上に設定できなくなっている。このためＬＥＤヘッドユニット１４においては当接箇所Ｐｃに対しアタッチメント付勢箇所Ｐｐ１がＸ方向の外側に配置されているため、仮に当接リブ３５ｒを設けなかった場合、カバークローズ状態において、ＬＥＤヘッド１６には、当接箇所Ｐｃにおいて発生する上向き抗力Ｆ２よりもＸ方向の外側において下向き合成付勢力Ｆ１が発生することとなり、力のモーメントが発生してしまう。この場合、ＬＥＤヘッド１６には、当接箇所Ｐｃを支点として左右一対の当接箇所Ｐｃの間、すなわちＸ方向の中央部がアタッチメント３５に向かって湾曲してしまう。
【００９５】
これに対し本実施の形態によるＬＥＤヘッドユニット１４においては、アタッチメント３５のヘッド対向面３５Ｓ１においてシャフト係合部３５ａのＸ方向の両側、すなわち当接箇所Ｐｃと同一軸上の直線の両側に当接リブ３５ｒを形成し、アタッチメント３５を当接リブ３５ｒにおいてＬＥＤヘッド１６のＬＥＤヘッドフレーム３７に当接させるようにした。
【００９６】
このためＬＥＤヘッドユニット１４は、機構的な制約によりスプリング３４、すなわちアタッチメント付勢箇所Ｐｐ１を当接箇所Ｐｃの真上に配置できず、アタッチメント付勢箇所Ｐｐ１と当接箇所Ｐｃとが左右方向に関しオフセットしている場合であっても、ＬＥＤヘッド１６がアタッチメント３５から感光体ドラム２７に向けて付勢される箇所であるヘッド付勢箇所Ｐｐ２を、ＬＥＤヘッド１６と感光体ドラム２７とが当接する箇所である当接箇所Ｐｃと同一軸上に配置できる。
【００９７】
このためＬＥＤヘッドユニット１４は、下向き合成付勢力Ｆ１と上向き抗力Ｆ２とを、同一軸上に配置できる。すなわちＬＥＤヘッドユニット１４は、ＬＥＤヘッド１６に対しアタッチメント３５側から加わる力と、ＬＥＤヘッド１６に対し感光体ドラム２７側から加わる力とを、左右方向における同じ位置、すなわち同一軸上に配置させることができる。これによりカラープリンタ１は、カバークローズ状態において、ＬＥＤヘッド１６に力のモーメントが発生しないようにでき、ＬＥＤヘッド１６が樹脂製であったとしても湾曲しないようにできる。
【００９８】
このような当接リブ３５ｒを用いた構成は、機構的な制約により、スプリング３４を当接箇所Ｐｃの真上に配置することができない、すなわち当接箇所Ｐｃとアタッチメント付勢箇所Ｐｐ１とを同一軸上に設定できない場合や、ＬＥＤヘッドホルダ３３及びアタッチメント３５を金属等よりも撓みやすい樹脂により作製する場合において、特に有用である。
【００９９】
以上の構成においてカラープリンタ１は、表面に潜像を担持する感光体ドラム２７と、配列方向に沿う基板３８と光軸方向に沿う光軸を有する複数のレンズが配置されたロッドレンズアレイ３９とを有するＬＥＤヘッド１６と、連結部材としてのシャフト４４によってＬＥＤヘッド１６と連結されるアタッチメント３５と、アタッチメント３５を保持するＬＥＤヘッドホルダ３３と、アタッチメント３５とＬＥＤヘッドホルダ３３との間に配され、アタッチメント３５をＬＥＤヘッド１６に向けて付勢するスプリング３４と、感光体ドラム２７とＬＥＤヘッド１６との間における当接箇所Ｐｃに配され、感光体ドラム２７とＬＥＤヘッド１６との光軸方向の間隔を規制する位置決め部材６２と、アタッチメント３５とＬＥＤヘッド１６との間において、当接箇所Ｐｃを通り光軸方向と平行な仮想直線の近傍に配置され、アタッチメント３５とＬＥＤヘッド１６とを当接させる当接リブ３５ｒとを設けるようにした。
【０１００】
これによりカラープリンタ１は、ＬＥＤヘッド１６に対し感光体ドラム２７側から加わる力とアタッチメント３５側から加わる力とを同一軸上に配置でき、ＬＥＤヘッド１６に力のモーメントが発生して湾曲してしまうことを防止し、ＬＥＤヘッド１６の変形を抑えることができる。
【０１０１】
［２．他の実施の形態］
なお上述した実施の形態においては、当接リブ３５ｒ１及び３５ｒ２をアタッチメント３５に設ける場合について述べた。本発明はこれに限らず、当接リブ３５ｒ１及び３５ｒ２をＬＥＤヘッドフレーム３７に設けても良い。
【０１０２】
また上述した実施の形態においては、ＬＥＤヘッドユニット１４のＸ方向両端部に１つずつ当接箇所Ｐｃを形成する場合について述べた。本発明はこれに限らず、１箇所又は３箇所以上の任意の個数の当接箇所Ｐｃを設けても良く、その場合、それぞれの当接箇所ＰｃをＸ方向の両側から挟むように当接リブ３５ｒを形成すれば良い。
【０１０３】
また上述した実施の形態においては、当接箇所Ｐｃよりも＋Ｚ方向側（アタッチメント３５側）において、Ｘ方向に関し当接箇所Ｐｃを挟むように、筒状部３５ａｔの両側に当接リブ３５ｒを設ける場合について述べた。本発明はこれに限らず、当接箇所Ｐｃよりも光軸方向に沿った＋Ｚ方向側において、少なくとも１つ、例えば筒状部３５ａｔを囲むような形状の当接リブを形成しても良い。また筒状部３５ａｔを囲むような形状の場合、連続的ではなく間欠的な形状の当接リブを形成しても良い。
【０１０４】
さらに上述した実施の形態については、当接箇所Ｐｃよりも＋Ｚ方向側における筒状部軸３５ａｔｘ上、すなわち当接箇所Ｐｃの真上にシャフト４４を配置する場合について述べた。本発明はこれに限らず、当接箇所Ｐｃよりも＋Ｚ方向側における、筒状部軸３５ａｔｘに対し、光軸方向と直交する、少なくともＸ方向又はＹ方向の何れか一方に位置ずれした箇所に、シャフト４４を配置しても良い。
【０１０５】
さらに上述した実施の形態においては、当接リブ３５ｒ２をＸ方向に関しスプリング座３５ｓｓと筒状部３５ａｔとの間に配置する場合について述べた。本発明はこれに限らず、当接リブ３５ｒ２をスプリング座３５ｓｓに対し筒状部３５ａｔから離隔する側に配置しても良い。その場合当接リブ３５ｒ１は、筒状部軸３５ａｔｘから当接リブ３５ｒ２までのＸ方向の間隔と同等の間隔を空けて、筒状部軸３５ａｔｘに対し当接リブ３５ｒ２とはＸ方向の逆側に配置すれば良い。
【０１０６】
さらに上述した実施の形態においては、当接リブ３５ｒをＹ方向に延びる直方体形状とする場合について述べた。本発明はこれに限らず、当接リブ３５ｒの横断面を三角形状、半円形状、Ｄ字形状や台形状等、他の種々の形状としても良い。
【０１０７】
さらに上述した実施の形態においては、当接リブ３５ｒをアタッチメント３５の底板３５ｂのＹ方向の一端から他端までに亘って連続的に形成する場合について述べた。本発明はこれに限らず、当接リブ３５ｒを間欠的に形成したり、Ｙ方向の少なくとも一端か他端かの何れかにおいて形成しないようにしたり、Ｙ方向に対し傾斜させたりしても良い。
【０１０８】
さらに上述した実施の形態においては、アタッチメント３５においてスプリング座３５ｓｓをシャフト係合部３５ａ（すなわちシャフト４４）よりもＸ方向の外側に配置する場合について述べた。本発明はこれに限らず、スプリング座３５ｓｓをシャフト係合部３５ａよりもＸ方向の内側に配置したり、スプリング座３５ｓｓをシャフト係合部３５ａに対しＸ方向の内側及び外側の両方に配置したりしても良い。さらに、スプリング３４の直径を大きくし、スプリング３４をシャフト係合部３５ａの筒状部３５ａｔの外周面側に嵌め込むことにより、当接箇所Ｐｃとアタッチメント付勢箇所Ｐｐ１とが同一軸上に位置するようにしても良い。
【０１０９】
さらに上述した実施の形態においては、アタッチメント３５におけるシャフト係合部３５ａの筒状部３５ａｔにシャフト４４を挿入し、回転止め壁３５ａｗ及び回転止め突起３５ａｐにシャフト４４のアタッチメント側引掛部４４Ｕを当接させることにより、アタッチメントヘッド取付状態においてシャフト４４が回転することを防止する場合について述べた。本発明はこれに限らず、シャフトを横断面で英大文字の「Ｄ」のような形状とし（すなわちＤカット面を施し）、該シャフトのＤカット面に当接する面を有する輪留めや、シャフトの回転を防止する固定機能を持ったキャップ等により、シャフトの回転を防止しても良い。
【０１１０】
さらに上述した実施の形態においては、シャフト４４によりアタッチメント３５とＬＥＤヘッドフレーム３７とを連結する場合について述べた。本発明はこれに限らず、他の種々の部材によりアタッチメント３５とＬＥＤヘッドフレーム３７とを連結しても良い。但しＬＥＤヘッド１６とアタッチメント３５とを互いに近接させるような力を加えずに、アタッチメント３５がＬＥＤヘッド１６から外れない程度に連結することが好ましい。
【０１１１】
さらに上述した実施の形態においては、ポリカーボネートとＡＢＳとの混合樹脂の金型成型によりアタッチメント３５を作製する場合について述べた。本発明はこれに限らず、スプリング３４から付勢力を受けても変形しない剛性を持った他の種々の材料でアタッチメント３５を作製しても良い。
【０１１２】
さらに上述した実施の形態においては、液晶ポリマーである樹脂によりＬＥＤヘッドフレーム３７を作製する場合について述べた。本発明はこれに限らず、他の種々の材料からなる樹脂によりＬＥＤヘッドフレーム３７を作製しても良い。または、アルミダイキャストによりＬＥＤヘッドフレーム３７を作製したり、板金に樹脂をアウトサート成形することによりＬＥＤヘッドフレーム３７を作製したりしても良い。
【０１１３】
さらに上述した実施の形態においては、ポリカーボネートとＡＢＳとの混合樹脂の金型成型によりＬＥＤヘッドホルダ３３を作製する場合について述べた。本発明はこれに限らず、他の種々の材料からなる樹脂によりＬＥＤヘッドホルダ３３を作製しても良い。
【０１１４】
さらに画像形成ユニット１５は、紙詰まりが発生した際に用紙ジャムを検知し、ジャムを解除させるために自動で上方へ移動しても良い。
【０１１５】
さらに上述した実施の形態においては、タンデム方式のカラープリンタ１において、前後方向に沿って直列に配置された各色の画像形成ユニット１５とそれぞれ対応する各色のＬＥＤヘッドユニット１４に本発明を適用する場合について述べた。本発明はこれに限らず、例えば４サイクル方式等、他の種々の方式のカラープリンタに搭載されるＬＥＤヘッドユニットに適用しても良い。
【０１１６】
さらに上述した実施の形態においては、カラー印刷を行うカラープリンタ１のプリンタ筐体２に対し、イエロー、マゼンタ、シアン及びブラックの各色に対応した４個のＬＥＤヘッド１６を取り付ける場合について述べた。本発明はこれに限らず、例えばカラープリンタにおいて使用されるトナーの色数に応じて、プリンタ筐体２に対し３個以下や５個以上のＬＥＤヘッド１６を取り付けるようにしても良く、またモノクロ印刷を行うモノクロプリンタにおいて１個のＬＥＤヘッド１６を取り付けるようにしても良い。
【０１１７】
さらに上述した第１の実施の形態では、カラープリンタ１に本発明を適用したが、これに限らず、カラープリンタ１と同様にＬＥＤヘッド１６を有する装置であれば、ファクシミリ、ＭＦＰ（MultiFunction Printer：複合機）、複写機等の装置にも本発明を適用しても良い。
【０１１８】
さらに上述した実施の形態においては、像担持体としての感光体ドラム２７と、露光ヘッドとしてのＬＥＤヘッド１６と、アタッチメントとしてのアタッチメント３５と、ホルダとしてのＬＥＤヘッドホルダ３３と、付勢部材としてのスプリング３４と、位置決め部材としての位置決め部材６２と、突部としての当接リブ３５ｒとによって、画像形成装置としてのカラープリンタ１を構成する場合について述べた。本発明はこれに限らず、その他種々の構成でなる像担持体と、露光ヘッドと、アタッチメントと、ホルダと、付勢部材と、位置決め部材と、突部とによって、画像形成装置を構成しても良い。
【産業上の利用可能性】
【０１１９】
本発明は、例えば電子写真式のプリンタに搭載するＬＥＤヘッドで利用できる。
【符号の説明】
【０１２０】
１……カラープリンタ、２……プリンタ筐体、２Ｔ……排出トレイ、３……制御部、４……用紙収容カセット、５……給紙部、６……用紙色測色部、７……ホッピングローラ、８……レジストローラ、９……プリンタカバー、９Ａ、９Ｂ……軸部材、１０……転写ベルトユニット、１１……ローラ、１２……転写ベルト、１３……転写ローラ、１４……ＬＥＤヘッドユニット、３３……ＬＥＤヘッドホルダ、３３ｍ……ホルダ本体部、３３ｍｐ……ポスト、３３ｓ……ホルダ支持部、３３ｓａ……支持孔、３３ｈ……ホルダ垂下部、３３ｈａ……垂下部軸、１６……ＬＥＤヘッド、３４……スプリング、３５……アタッチメント、３５ｂ……底板、３５Ｓ１……ヘッド対向面、３５Ｓ２……ホルダ対向面、３５ｗ……壁部、３５ｔ……支持突起、３５ａ……シャフト係合部、３５ａｔ……筒状部、３５ａｔａ……アタッチメント側引掛部通過口、３５ａｔｘ……筒状部軸、３５ａｗ……回転止め壁、３５ａｐ……回転止め突起、３５ａｗｐ……外れ規制部、３５ｒ１、３５ｒ２……当接リブ、３５ｒ１Ｓ、３５ｒ２Ｓ……リブホルダ当接面、３５ｓｓ……スプリング座、１５……画像形成ユニット、１６……ＬＥＤヘッド、３７……ＬＥＤヘッドフレーム、３７Ｓ……アタッチメント対向面、３７Ｈ……取付孔、３７ｅ……シャフト係合部、３７ｅｂ……シャフト係合部底部、３７ｅｐ……引掛部係合突起、３７ｅｗｘ……引掛部収納Ｘ方向側壁、３７ｅｗｙ……引掛部収納Ｙ方向側壁、３７ｅｓ……引掛部収納空間、３７ｅａ……ヘッド側引掛部通過口、３７ａ……位置決め孔、３７ｐ……カム、３８……基板、３８Ｃｎ……コネクタ、３８Ｃｂ……ケーブル、３９……ロッドレンズアレイ、４０……ＬＥＤアレイ、４１……シリコン樹脂、４２……絶縁シート、１８……トナーカートリッジ、２０……定着ユニット、２１……加熱ローラ、２２……加圧ローラ、２４……排紙部、２５……フレーム、２６……感光体ドラムユニット、２７……感光体ドラム、２７Ｓ……周側面、２７ｓ……スペーサ、３２……ドラムフレーム、３２ｔ……位置決め突起、２８……帯電ローラ、２９……現像ローラ、３０……供給ローラ、３１……現像ブレード、４４……シャフト、４４Ｓ……棒状部、４４Ｄ……ヘッド側引掛部、４４Ｄｃ……ヘッド側引掛部円筒形状部、４４Ｄｐ……ヘッド側引掛部突起、４４Ｕ……アタッチメント側引掛部、４４Ｕｃ……アタッチメント側引掛部円筒形状部、４４Ｕｐ……アタッチメント側引掛部突起、４４ｘ……シャフト軸、６２……位置決め部材、Ｐｃ……当接箇所、Ｐｐ１……アタッチメント付勢箇所、Ｐｐ２……ヘッド付勢箇所、Ｌ１……ヘッド側引掛部幅、Ｌ２……ヘッド側引掛部厚さ、Ｌ３……ヘッド側引掛部直径、Ｌ４……アタッチメント側引掛部厚さ、Ｌ５……シャフト長さ、Ｌ６……シャフト係合部Ｙ方向内寸、Ｌ７……引掛部収納高さ、Ｌ８……シャフト係合部係合突起厚さ、Ｌ９……シャフト係合部係合突起内寸、Ｌ１０……シャフト係合部Ｘ方向内寸、Ｌ１１……当接リブ高さ、Ｌ１２……筒状部厚さ、Ｌ１３……回転止め突起高さ、Ｌ１４……回転止め壁高さ、Ｆ１ａ……下向き付勢力、Ｆ１ｂ……下向き付勢力、Ｆ１……下向き合成付勢力、Ｆ２……上向き抗力。
【図１】
2020100108.tif 000003
【図２】
2020100108.tif 000004
【図３】
2020100108.tif 000005
【図４】
2020100108.tif 000006
【図５】
2020100108.tif 000007
【図６】
2020100108.tif 000008
【図７】
2020100108.tif 000009
【図８】
2020100108.tif 000010
【図９】
2020100108.tif 000011
【図１０】
2020100108.tif 000012
【図１１】
2020100108.tif 000013
【図１２】
2020100108.tif 000014
【図１３】
2020100108.tif 000015
【図１４】
2020100108.tif 000016
【図１５】
2020100108.tif 000017
【図１６】
2020100108.tif 000018
【図１７】
2020100108.tif 000019
【図１８】
2020100108.tif 000020
【図１９】
2020100108.tif 000021